(57)【特許請求の範囲】
【請求項１】
貯湯タンク及びこの貯湯タンクを収容する外箱と、前記貯湯タンクと接続される各種配管とを備え、前記外箱と前記貯湯タンクとの間に、液状の発泡断熱材を注入して発泡させて形成された発泡断熱材を備えた貯湯タンクユニットにおいて、
前記貯湯タンクの上端から下端までを温度分布に従って高温の上部領域、及び低温の下部領域とし、
注入口が設けられた面に対向する面が下になるように横倒しの状態で前記液状の発泡断熱材を注入するものであり、
前記注入口を前記上部領域及び前記下部領域に設け、前記上部領域に設けられた前記注入口から注入される発泡断熱材の量を前記下部領域に設けられた前記注入口から注入される発泡断熱材の量より多くしたことを特徴とする貯湯タンクユニット。
【発明の詳細な説明】
【技術分野】
【０００１】
本発明は電気温水給湯システムやヒートポンプ式給湯システム等に使用される貯湯タンクユニットに関するものである。
【背景技術】
【０００２】
電気温水給湯システムやヒートポンプ式給湯システムに使用される貯湯タンクユニットは、貯湯タンクに貯められている温水の温度を維持するため、貯湯タンクの周囲を断熱材で覆う必要がある。
【０００３】
そして、従来では貯湯タンク自体にグラスウールなどの面状の断熱材を巻き付けていた。貯湯タンクに断熱材を巻き付けるものでは、専用の設備機械が必要か、または大型の貯湯タンクでは断熱材を巻き付けるのに作業者一人では効率的に作業することができず、製造組立時の工数がかかりコスト高であるという問題があった。
【０００４】
そこで、例えば、特開２０１１−１０６７９１号公報（特許文献１）においては断熱性の高い発泡断熱材（例えば、ポリスチレン）を必要形状に成形、或いは切り取って貯湯タンクの外周囲に配置、固定することが行われている。これによれば、製造組立時にはこの複数の成型断熱材を適切な位置にはめ込むように取り付けるだけで、貯湯タンクの外側に成型断熱材が密着して貯湯タンクの保温、断熱性が向上し、製造組立の工数がかからず効率的な作業を行うことができコストを低く抑えることができる。
【０００５】
しかしながら、発泡断熱材の成形断熱材を使用するものでは、成形断熱材と成形断熱材の接合部の隙間から熱漏洩が発生する課題があった。また、成形断熱材で真空断熱材を貯湯タンクの外壁や外装ケースの内壁に押し付ける場合では、柔軟性の低い真空断熱材と柔軟性の低い成形断熱材の間に空間が生じ、断熱性能を低下させる課題があった。
【０００６】
このため、特開２０１５−３４６５４号公報(特許文献２)にあるように、最近では貯湯タンクと外装ケース（外箱）の間に液状ウレタンを注入し、液状ウレタンの流動、発泡を利用して、貯湯タンクと外装ケースの間にウレタンの断熱材を充填することが行われるようになってきている。これによれば、成形断熱材の接合部が無いため熱漏洩を少なくでき、また真空断熱材との間に隙間が生じないので断熱性能の低下を抑制できる効果がある。
【先行技術文献】
【特許文献】
【０００７】
【特許文献１】特開２０１１−１０６７９１号公報
【特許文献２】特開２０１５−  ３４６５４号公報
【発明の概要】
【発明が解決しようとする課題】
【０００８】
ところで特許文献２のように、貯湯タンクと外装ケースとの間の空間に発泡性断熱材を充填した場合、貯湯タンクの上部領域側では発泡性断熱材が高温に晒され、発泡性断熱材の気泡（発泡セル）に包摂されているガスの置換や気泡の内圧変化が生じて発泡性断熱材が劣化し易くなる。すなわち、貯湯タンクの上部領域側は、下部領域側に比べて相対的に熱漏洩を生じ易く、発泡性断熱材の断熱性能の経時安定性を確保し難い領域となっている。このため、貯湯タンクの上部領域側における発泡性断熱材は、微細気泡が形成され、しかも気泡壁の強度が大きいことが必要とされている。
【０００９】
また、特許文献２に記載されたような液状ウレタンの注入方法は、異なる注入口から注入された液状ウレタンが発泡、成長を開始し、この発泡したウレタンが合流する「合わせ目」(異なる位置に注入された液状ウレタンが発泡し、発泡進行面が互いに合流する部分)、或いはウレタンの流動末期に反応を終える「最終充填部」には、ウレタン未充填部であるボイドが発生しやすい。また、長い距離を流動してきたウレタンの流動末期である「最終充填部」のウレタンの発泡倍率は、発泡初期、中期と比べて低いため樹脂成分が多く、高密度化（気泡が少ない）して熱伝導率が悪化する。このため、「合わせ目」、或いは「最終充填部」からの熱漏洩を少なくすることが必要とされている。
【００１０】
したがって、この種の貯湯タンクユニットにおいては、特に熱漏洩が見込まれる領域の断熱性能を改善して、貯湯タンクユニット全体における断熱性能の向上やその経時的な安定性を高めることが求められている。
【００１１】
尚、「合わせ目」の数は注入口の数によって左右され、注入口が１個、或いは２個の場合は「合わせ目」はさほど大きな問題にはならない場合もあるが、「最終充填部」は注入口の数に関係なく形成されるので、「最終充填部」に対する対策が重要である。
【００１２】
本発明の目的は、熱漏洩が少なく、しかも断熱性能の経時的な安定性を向上する新規な貯湯タンクユニットを提供することにある。
【課題を解決するための手段】
【００１３】
本発明の主たる特徴は、少なくとも発泡性断熱材の発泡最終領域である「最終充填部」が、貯湯タンクの低温の湯が分布する下部領域側に形成されている、ところにある。更に加えて、少なくともこの「最終充填部」が対向する外箱の内側面に真空断熱材が設置されている、ところにある。
【発明の効果】
【００１４】
本発明によれば、発泡性断熱材の「最終充填部」が貯湯タンクの低温の湯が分布する下部領域側に形成されるように発泡を制御しているので、貯湯タンクの上部領域側の発泡断熱材は微細気泡が形成され、しかも気泡壁強度が強くなっている。これによって、発泡性断熱材の断熱性能の経時安定性を確保することができる。また、熱伝達性が高い「最終充填部」が位置する外箱の内側に真空断熱材を配置しているで、この部分からの熱漏洩を少なくできる。
【図面の簡単な説明】
【００１５】
【図１Ａ】本発明が適用される貯湯タンクユニットを示す外観斜視図である。
【図１Ｂ】外装板を取り外した貯湯タンクユニット本体の外観斜視図である。
【図１Ｃ】図１Ａに示す貯湯タンクユニットの分解斜視図である。
【図２】図１Ｂの貯湯タンクユニット本体のＸ−Ｘ断面を示す断面図である。
【図３】図２のＹ−Ｙ断面を示す断面図である。
【図４】第１の実施形態になる発泡性断熱材を充填する方法を示す説明図である。
【図５】第２の実施形態になる発泡性断熱材を充填する方法を示す説明図である。
【図６】第３の実施形態になる発泡性断熱材を充填する方法を示す説明図である。
【図７】第４の実施形態になる発泡性断熱材を充填する方法を示す説明図である。
【図８】第５の実施形態になる発泡性断熱材を充填する方法を示す説明図である。
【図９】第６の実施形態になる発泡性断熱材を充填する方法を示す説明図である。
【図１０】第７の実施形態になる発泡性断熱材を充填する方法を示す説明図である。
【図１１】第８の実施形態になる発泡性断熱材を充填する方法を示す説明図である。
【図１２】第９の実施形態になる発泡性断熱材を充填する方法を示す説明図である。
【図１３】本発明の各実施形態と比較例の熱伝導率悪化率を示す説明図である。
【発明を実施するための形態】
【００１６】
以下、本発明の実施形態について図面を用いて詳細に説明するが、本発明は以下の実施形態に限定されることなく、本発明の技術的な概念の中で種々の変形例や応用例をもその範囲に含むものである。
【００１７】
まず、本発明が適用される貯湯タンクユニットの構成について図１Ａ〜図１Ｃを用いて説明する。貯湯タンクユニットＴＵはヒートポンプ給湯装置を構成する貯湯機器であり、図１Ａ〜図Ｃに示すように、貯湯タンク１と、貯湯タンク１を覆う外装体とを備えている。貯湯タンク１は湯水等を貯留するステンレス製の容器であり、中空の略円筒形状を有している。
【００１８】
一方、外装体は外装板２、３、４、仕切板５、継手取付板６、天板補助板７、８、天板９、底板１０とから構成されている。そして、これら外装体の一部を構成する外装板２、３、仕切板５、天板補助板７、８、底板１０は、図１Ｂに示すように貯湯タンク１を収容した外箱１５を形成している。このように外箱１５は、外装板２、３、仕切板５、天板補助板７、８、底板１０の組み合わせによって外箱本体とし、貯湯タンク１を内箱として構成される。
【００１９】
貯湯タンクユニットＴＵの内部において、貯湯タンク１は図１Ｃに示すように、底板１０の上面に固定される内脚１１に支持されて外箱１５の内部に収容されている。そして、貯湯タンク１と外箱１５との間には、発泡断熱材が充填される断熱空間１４（図２参照）が区画、形成されている。一方、貯湯タンクユニットＴＵの内部における、仕切板５の前側には、外装板４、仕切板５及び天板補助板７を側壁とし、天板９を天壁とし、継手取付板６を底壁として機械室が区画、形成されている。
【００２０】
尚、機械室の内部には、例えば、配管や、配管に備えられる弁、ポンプ類、電装部品類、制御機器、センサ類等の図示しない計装機器類が収容されている。そして、このような断熱空間１４と機械室とが内部に区画された貯湯タンクユニットＴＵは、底板１０の下面に固定された外脚１２によって支持されて設置面に固定されるものである。
【００２１】
貯湯タンク１には、底面部（底壁）及び天面部（天壁）に図示しない複数の配管が接続される。貯湯タンク１の底面部には、給水配管が接続され、この給水配管を通じて、給水源から供給される水が貯湯タンク１に給水される。また、底面部と天面部に出湯配管と入水配管がそれぞれ接続され、これらの配管の他端には熱交換器が接続されて、熱交換器、出湯配管、貯湯タンク１、入水配管が順に接続されてなる環状の管路が形成される。
【００２２】
貯湯タンクユニットＴＵが備えられるヒートポンプ給湯装置では、熱交換器が、圧縮機、凝縮器、膨張弁、蒸発器等によって構成されるヒートポンプサイクルによって熱交換することで、貯湯タンク１に貯留される湯水を加熱する。尚、貯留されている湯水は、貯湯タンク１の天面部から入水配管を経て熱交換器に供給され、加熱された湯水は、出湯配管を経て貯湯タンク１の底面部に還流される。また、天面部には給湯配管が接続され、この給湯配管を通じて貯湯タンク１に貯蔵される湯（９０℃〜１００℃）が給湯されて利用される。以上のような構成の貯湯タンクユニットは良く知られた構成である。
【００２３】
図２は貯湯タンクユニット本体の断面図であり、図１ＢのＸ−Ｘ断面である。また、図３は図２のＹ−Ｙ断面である。なお、図２及び図３では、断熱空間１４に発泡性断熱材を充填していない状態を示している。
【００２４】
貯湯タンクユニットＴＵが備える外箱１５では、外箱１５の内側面には真空断熱材１７が介装されている。図２に示すように、真空断熱材１７は貯湯タンク１の上部から下部に及ぶ寸法を有し、図３に示すように、貯湯タンク１の側面の全周を覆うように複数配設されている。また、本実施例では貯湯タンク１の温度分布に従って上部領域Ｕｐ、中間領域Ｍｄ、下部領域Ｂｏに３等分するように便宜的に区分けしている。尚、本実施例では３等分しているが、２等分して上部領域Ｕｐ、及び下部領域Ｂｏとしても良いものである。要は、高温部と低温部を画定できれば良いものである。
【００２５】
真空断熱材１７は、グラスウール等の芯材が、水分や各種ガスの吸着剤等と共にガスバリア性のラミネートフィルムで真空包装されたシート状部材であり、外装板２、３、及び仕切板５の内壁に貼付されている。尚、貯湯タンク１の外周囲に真空断熱材を配置することも可能である。
【００２６】
貯湯タンクユニットＴＵにおいて、貯湯タンク１に貯留される湯水が加熱されると、比重が小さい高温の湯が貯湯タンク１の上部領域Ｕｐ側に分布し、比重が大きい低温の湯や水が貯湯タンク１の下部領域Ｂｏ側に分布し、中間の温度の湯水は貯湯タンク１の中間領域Ｍｄに分布することになる。このとき、貯湯タンク１の内側と外側との温度差は、貯湯タンク１の上部領域Ｕｐ側で大きくなり、下部領域Ｂｏ側で小さくなる。よって、貯湯タンク１の内側と外側の間における外皮単位面積あたりの伝熱量の分布は、鉛直方向に勾配を有するものとなる。
【００２７】
このため、断熱空間１４の鉛直方向における上部領域Ｕｐ側は、下部領域Ｂｏ側と比較して熱漏洩（熱損失）が大きい領域となっている。特に、図示しない配管等が設置される貯湯タンク１の天面部（内箱の上面）と天板補助板８（外箱の上面）との間の空間は、真空断熱材１７を配設し難い領域であるため、熱漏洩を生じやすい。
【００２８】
また、外箱１５には、貯湯タンク１の側方に空間厚さが狭い領域（狭隘部ｇ）が生じることがある。狭隘部ｇは、例えば、図２に示すように、配設された真空断熱材１７の内面と貯湯タンク１の外周側面との間に存在する。このため、貯湯タンク１からの熱漏洩が生じやすい。このような熱漏洩を少なくするため、特許文献２にあるように断熱空間１４に液状のウレタンを注入して発泡させることによって、断熱材を形成している。
【００２９】
このような構成の貯湯タンクユニットは良く知られているが、上述したように、断熱空間１４の上部領域Ｕｐ側は、下部領域Ｂｏ側と比較して高温になるため、充填される発泡性断熱材が熱により経時劣化し易い領域となっている。つまり、貯湯タンクの上部領域Ｕｐ側では発泡性断熱材が高温に晒され、発泡性断熱材の気泡（発泡セル）に包摂されているガスの置換や気泡の内圧変化が生じて発泡性断熱材が劣化し易くなる。
【００３０】
また、液状ウレタンが発泡、成長を開始し、この発泡したウレタンが合流する「合わせ目」、或いはウレタンの流動末期に反応を終える「最終充填部」には、ウレタン未充填部が発生しやすい。また、長い距離を流動してきたウレタンの流動末期である「最終充填部」のウレタンの発泡倍率は、発泡初期、中期と比べ低いため樹脂成分が多く、高密度化（気泡が少ない）して熱伝導率が悪化する。
【００３１】
このような課題に対応するため、本発明では以下に説明する実施形態にあるように、少なくとも発泡性断熱材の発泡最終領域である「最終充填部」を、貯湯タンクの低温の湯が分布する下部領域側に形成するという構成を提案するものである。更に、これに加えて、少なくともこの「最終充填部」が対向する外箱の内側面に真空断熱材を設置する、という構成を提案するものである。
【００３２】
これによれば、発泡性断熱材の「最終充填部」が貯湯タンクの低温の湯が分布する下部領域側に形成されるようにしているので、貯湯タンクの上部領域側の発泡断熱材は微細気泡が形成され、しかも気泡壁強度が強くなっている。これによって、発泡性断熱材の断熱性能の経時安定性を確保することができるものである。
【００３３】
また、熱伝達性が高い「最終充填部」が位置する外箱の内側に真空断熱材を配置しているで、この部分からの熱漏洩を少なくできるものである。
【００３４】
以下、本発明の具体的な実施形態について図面を引用しながら詳細に説明する。尚、実施形態１〜実施形態４は、貯湯タンクユニットの上部領域Ｕｐを下側にして発泡断熱材を注入する例を示し、実施形態５〜実施形態７は、貯湯タンクユニットを横倒しにして発泡断熱材を注入する例を示し、実施形態８〜実施形態９は、貯湯タンクユニットの上部領域Ｕｐを下側にし、しかも斜めに傾けて発泡断熱材を注入する例を示している。いずれの例も、発泡性断熱材の「最終充填部」が貯湯タンクの低温の湯が分布する下部領域側に形成されるようにするためである。
【実施例１】
【００３５】
第１の実施形態になる貯湯タンクユニットＴＵは、図４に示しているような方法で液状の発泡性断熱材が注入されるものである。尚、図４において実線で示す矢印は液状の発泡性断熱材の注入方向と流れを示し、破線で示す矢印は注入された発泡性断熱材の概略の発泡方向を示している。これは、以下に示す全ての実施形態について共通の表示である。
【００３６】
図４に示すように、貯湯タンクユニットの外箱１５には貯湯タンク１が収納されており、貯湯タンク１と外箱１５の間に形成される断熱空間１４（図３参照）には発泡性断熱材２０が充填される。発泡性断熱材２０を充填することによって、貯湯タンク１の外周面、上面及び下面の全面に亘って熱漏洩が低減されるようにしている。
【００３７】
また、断熱空間１４中には、発泡性断熱材２０より大幅に断熱性能に優れる真空断熱材１７を設置することで外箱１５からの熱漏洩を更に低減している。また、発泡性断熱材２０は接着剤としての機能を有しており、真空断熱材１７及び外箱１５を共に接着することにより、各部材間が堅固に固定されて耐振動性が向上する作用も得られるようになっている。
【００３８】
このような構成の貯湯タンクユニットは、以下に示す全ての実施形態について共通であるので、繰り返して説明はしない。ただ、「最終充填部」や「合わせ目」の形成位置によって真空断熱材１７の配置位置が調整されるものである。
【００３９】
さて、第１の実施形態になる貯湯タンクユニットにおいては、外箱１５を正規の設置状態とは逆向きに倒立させた状態とし、倒立させた状態の外箱１５の背面側の最上面に設置した発泡性断熱材２０の原料を注入する１個の注入口７２から下側に向けて液状の発泡性断熱材２０注入する。ここで、倒立させた状態の外箱１５の最上面は図２に示す下部領域Ｂｏに対応するものであり、倒立させた状態の外箱１５の最下面は図２に示す上部領域Ｕｐに対応するものである。
【００４０】
そして、注入された発泡性断熱材２０の原料は断熱空間１４の最下面に落下して横に広がり、流動しながら発泡を開始して樹脂化を伴いながら断熱空間１４内を上方へ立ち上がっていく。この時、上部領域Ｕｐの発泡性断熱材２０は発泡初期から中期であるため、充分な量の気泡を有した発泡性断熱材２０を形成することができる。このように、貯湯タンク２の上部領域Ｕｐ側における発泡性断熱材は、微細気泡が形成され、しかも気泡壁の強度が大きいものとなっている。
【００４１】
このように、本実施形態になる注入方式においては、外箱１５の貯湯タンク１の天面部付近の断熱性能が高くなっており、高温の湯が貯留される貯湯タンク１の上部領域Ｕｐ側における熱漏洩が有効に抑制されるようになっている。また、発泡初期から中期の発泡性断熱材２０であるため、微細気泡の集合体となっており、発泡性断熱材２０の強度が高く、また気泡壁強度も強いことから、断熱性能の経時劣化を抑制することができるようになる。
【００４２】
一方、断熱空間１４内の各部分を流動した発泡性断熱材２０は、最終的に外箱１５の最上面付近の１箇所に集まってきて発泡、流動を終了する。この部分は「最終充填部」と呼ばれており、発泡初期、中期と比べて発泡機能が低下しているので樹脂成分が多く、高密度化（気泡が少ない）して熱伝導率が悪化する傾向がある。更に、「最終充填部」の近傍では、発泡性断熱材２０の「合わせ目」が形成され、発泡ガスの除去が不十分な場合は、発泡性断熱材の欠陥部が形成されることもある。一般的に発泡性断熱材２０の熱伝導率は流動末端部となる「最終充填部」近傍では初期部と比較して悪化することに加えて、発泡性断熱材の欠陥部が形成されることによる熱漏洩量の悪化も生じる。
【００４３】
しかしながら、「最終充填部」や「合わせ目」は外箱１５の下部領域Ｂｏに形成されているので、熱漏洩については上部領域Ｕｐほど深刻ではない。すなわち、下部領域Ｂｏは上部領域Ｕｐほどには断熱性能が要求されないからである。このため、上述したように、下部領域Ｂｏに発泡性断熱材２０の「最終充填部」や「合わせ目」が形成されるように発泡性断熱材２０の発泡を制御しているものである。
【００４４】
ただ、貯湯タンクユニットの全体的な断熱性能を向上するためには、「最終充填部」や「合わせ目」からの熱漏洩を更に抑制してやることが有効である。このため、本実施形態では、充填された発泡性断熱材２０の「最終充填部」や「合わせ目」が形成される箇所（少なくとも「最終充填部」の投影面となる箇所を含む部分）に、真空断熱材１７を設置することにより、熱漏洩量の大幅な悪化に繋がらないようにしている。本実施形態では、背面側に位置する注入口７２と対向する側の仕切板５の内側に真空断熱材１７を配置している。
【００４５】
尚、外箱１５に発泡性断熱材２０を充填する注入口７２は１個に限定されるもものではなく、注入口７２を複数設けて、発泡性断熱材２０の注入を複数箇所から行うようにしても良いものである。但し、複数個所に注入口７２を設置する際は、発泡性断熱材２０の流動過程に偏りが生じないように、互いが対向する対称位置に設置する必要がある。また、複数の注入口毎に、発泡性断熱材２０の原料液を組成する化合物の選択、組合せ、配合比の調整、原料液の撹拌及び発泡条件等を調整して充填を行うようにしても良いものである。
【００４６】
発泡性断熱材２０としては、液状の原料液を化学反応させることによって発泡、硬化させた合成樹脂発泡体からなる断熱材を用いることが好ましい。具体的には、例えば、硬質ウレタンフォーム、フェノールフォーム、ポリイソシアヌレートフォーム等が好適である。
【００４７】
例えば、硬質ウレタンフォームは、プレミックスポリオール組成物とポリイソシアネートとを反応させることによって得ることができる。イソシアネートと混合されるプレミックスポリオールは、ポリオール、整泡剤、触媒、水とシクロペンタンを含む発泡剤とよりなるプレミックスポリオール組成物である。
【００４８】
更にこのプレミックスポリオール組成物は、水酸基数４〜８個の多価アルコール１種または２種以上を含む混合物にアルキレンオキシドを付加した化合物に、ポリオールに対して不完全溶解でありエステル基を有する多価アルコールを１種または２種以上含む混合物を添加し、且つ温度依存性の小さい活性を有するアミン系の触媒を有するプレミックスポリオールである。
【００４９】
水酸基数４〜８の多価アルコールとしては次のものが適している。４価アルコールとしてはジグリセリン、ペンタエリスリトール、メチルグルコシド等があり、５価アルコールとしてはグルコース、マンノース、フルクトース等の単糖類があり、６価アルコールとしてはジペンタエリスリトール、ソルビトール等があり、７〜８価アルコールとしてはシュークローズ、ラクトース等の糖類およびその誘導体、フェノール類等が挙げられる。これらは単独で使用しても良く、また２種以上を混合して用いても差し支えないが、好ましくはシュークローズを用いると良い。
【００５０】
また、水酸基数４〜８の多価アルコール１種または２種以上を含む混合物に付加するアルキレンオキシドとしては、エチレンオキシド、プロピレンオキシド、ブチレンオキシド等を用いることができる。このうち、いずれかのオキシド１種を用いてもよく、２種以上のオキシドを併用しても差し支えない。２種以上のオキシドを併用する場合、これらを順次反応させてもよく、またはこれらを混合して反応させても良い。
【００５１】
用いることができるポリオールの粘度は、２０００〜６０００ｍＰａｓであり、好ましくは３０００〜５０００ｍＰａｓである。また、このポリオールの重量平均分子量は６００〜１３００であり、好ましくは重量平均分子量が８００〜１０００のポリオールが良い。重量平均分子量（Ｍｗ）が６００よりも小さなポリオールを用いた場合、ポリオールの粘度は低下し流動性は向上するが、強度が低下する。一方、重量平均分子量（Ｍｗ）が１３００よりも大きなポリオールを用いると、粘度が上昇し、流動性が著しく悪化するので好ましくない。
【００５２】
エステル基を有する多価アルコールとしては、水酸基価１００〜４５０ｍｇＫＯＨ／ｇ、酸価０.５〜１.５、粘度１０００〜１７０００ｍＰａｓ、官能基数２〜３であり、無水フタル酸、テレフタル酸、イソフタル酸、コハク酸、アジピン酸、マレイン酸、フマル酸、セバシン酸、リンゴ酸等の多価カルボン酸と、エチレングリコール、ジエチレングリコール、トリエチレングリコール、１、４−ブタンジオール、グリセリン、トリメチロールプロパン等の多価アルコールとの縮合反応で得られるポリエステルポリオールとする。尚、このポリエステルポリオールを用いることで温度負荷に対する経年劣化の悪影響を軽減することができる。
【００５３】
また、本実施形態においては、反応触媒として反応性が周囲温度に対する依存性の少ない触媒を用いている。すなわち、泡化アミン触媒や樹脂化アミン触媒に加えて温度依存性の少ないアミン触媒を混合して用いている。例えばＮ、Ｎ-ジメチルドデシルアミンを含むものを主成分とし、ライズ特性を調整するためにペンタメチルジエチレントリアミン、ビス（ジメチルアミノエチル）エーテル、Ｎ、Ｎ、Ｎ′−トリメチルアミノエチルエタノールアミン、Ｎ、Ｎ−ジメチルアミノエトキシエタノール、ジエチルシクロヘキシルアミン、トリエチレンジアミン、Ｎ、Ｎ、Ｎ′、Ｎ′−テトラメチルヘキサンジアミン、Ｎ、Ｎ、Ｎ′、Ｎ′−テトラメチルプロピレンジアミン、Ｎ、Ｎ、Ｎ′、Ｎ′−テトラメチルエチレンジアミン、Ｎ、Ｎ′、Ｎ′′−トリス（３-ジメチルアミノプロピル）ヘキサヒドロ-Ｓ-トリアジン、Ｎ、Ｎ′、Ｎ′′−トリス（３-ジエチルアミノプロピル）ヘキサヒドロ-Ｓ-トリアジン等を用いることができる。
【００５４】
また、本実施形態で使用されるポリイソシアネートは、従来から使用されているものであれば良く特に限定するものではない。例えば、ジフェニルメタンジイソシアネート（ＭＤＩ）とその誘導体、これらは単独で使用しても、混合して使用しても差し支えない。また、トリレンジイソシアネート（ＴＤＩ）とその誘導体としては、例えば、２、４−ＴＤＩと２、６−ＴＤＩの混合物、ＴＤＩの末端イソシアネートプレポリマー誘導体等を挙げることができる。また、ＭＤＩとその誘導体としては、例えば、ＭＤＩとその重合体のポリフェニルポリメチレンジイソシアネートの混合体、末端イソシアネート基をもつジフェニルメタンジイソシアネート誘導体等を挙げることができるので、これらを適切に用いればよいものである。
【００５５】
このような発泡性断熱材２０の材料は以下に示す実施形態でも共通に使用できるので、以下の実施形態では説明を省略する。
【００５６】
以上述べた通り、本実施形態によれば、少なくとも発泡性断熱材の発泡最終領域である「最終充填部」が、貯湯タンクの低温の湯が分布する下部領域Ｂｏ側に形成されていると共に、少なくとも、この「最終充填部」が対向する外箱の内側面に真空断熱材が設置されている構成とした。
【００５７】
これによれば、発泡性断熱材の「最終充填部」が貯湯タンクの低温の湯が分布する下部領域Ｂｏ側に形成されるようにしているので、貯湯タンクの上部領域Ｕｐ側の発泡断熱材は微細気泡が形成され、しかも気泡壁強度が強くなっている。これによって、発泡性断熱材の断熱性能の経時安定性を確保することができる。また、熱伝達性が高い「最終充填部」が位置する外箱の内側に真空断熱材を配置しているで、この部分からの熱漏洩を少なくできる。
【実施例２】
【００５８】
次に、第２の実施形態になる貯湯タンクユニットＴＵは、図５に示しているような方法で液状の発泡性断熱材が注入されるものである。
【００５９】
さて、第２の実施形態になる貯湯タンクユニットにおいても、外箱１５を正規の設置状態とは逆向きに倒立させた状態とし、倒立させた状態の外箱１５の背面側の最上面に設置した発泡性断熱材２０の原料を注入する注入口７２Ａから下側に向けて液状の発泡性断熱材２０注入する。また、倒立させた状態の外箱１５の前面側の最上面に設置した発泡性断熱材２０の原料を注入する注入口７２Ｂから下側に向けて液状の発泡性断熱材２０注入する。ここでも実施例１と同様に、倒立させた状態の外箱１５の最上面は図２に示す下部領域Ｂｏに対応するものであり、倒立させた状態の外箱１５の最下面は図２に示す上部領域Ｕｐに対応するものである。
【００６０】
そして、対向する位置に設けられた２つの注入口７２Ａ、７２Ｂから注入された発泡性断熱材２０の原料は、断熱空間１４の最下面に落下して横に広がり、流動しながら発泡を開始して互いに向き合って樹脂化を伴いながら断熱空間１４内を上方へ立ち上がっていく。この時、発泡性断熱材２０は発泡初期から中期であるため、上部領域Ｕｐでは充分な量の気泡を有した発泡性断熱材２０を形成することができる。このように、貯湯タンク２の上部領域Ｕｐ側における発泡性断熱材は、微細気泡が形成され、しかも気泡壁の強度が大きいものとなっている。
【００６１】
このように、本実施形態になる注入方式においても、外箱１５の貯湯タンク１の天面部付近の断熱性能が高くなっており、高温の湯が貯留される貯湯タンク１の上部領域側における熱漏洩が有効に抑制されるようになっている。また、上部領域Ｕｐでは発泡初期から中期の発泡性断熱材２０であるため、微細気泡の集合体となっており、発泡性断熱材２０の強度が高く、また気泡壁強度も強いことから、断熱性能の経時劣化を抑制することができるようになる。
【００６２】
一方、断熱空間１４内の各部分を流動した各発泡性断熱材２０は、その発泡進行面が合流することによって「合わせ目」が形成されている。更には最終的に外箱１５の最上面付近の１箇所に集まってきて発泡、流動を終了する。したがって、本実施形態では「最終充填部」及び「合わせ目」が形成されることになる。この「最終充填部」や「合わせ目」からの熱漏洩を更に抑制してやるため、本実施形態では、充填された発泡性断熱材２０の「最終充填部」や「合わせ目」が形成される箇所に、真空断熱材１７を設置することにより、熱漏洩量の大幅な悪化に繋がらないようにしている。本実施形態では、外箱１５の側面の内側に真空断熱材１７を配置している。
【００６３】
本実施形態においても実施例１と同様に、発泡性断熱材の「最終充填部」が貯湯タンクの低温の湯が分布する下部領域Ｂｏ側に形成されるようにしているので、貯湯タンクの上部領域側の発泡断熱材は微細気泡が形成され、しかも気泡壁強度が強くなっている。これによって、発泡性断熱材の断熱性能の経時安定性を確保することができる。また、熱伝達性が高い「最終充填部」や「合わせ目」が位置する外箱の内側に真空断熱材を配置しているで、この部分からの熱漏洩を少なくできる。
【実施例３】
【００６４】
次に、第３の実施形態になる貯湯タンクユニットＴＵは、図６に示しているような方法で液状の発泡性断熱材が注入されるものである。
【００６５】
さて、第３の実施形態になる貯湯タンクユニットにおいても、外箱１５を正規の設置状態とは逆向きに倒立させた状態とし、倒立させた状態の外箱１５の背面側の最下面に設置した発泡性断熱材２０の原料を注入する１個の注入口７３（実施例１と同様に複数設けても良いものである）から前面側に向けて横向きに液状の発泡性断熱材２０を注入するものである。ここでも実施例１と同様に、倒立させた状態の外箱１５の最上面は図２に示す下部領域Ｂｏに対応するものであり、倒立させた状態の外箱１５の最下面は図２に示す上部領域Ｕｐに対応するものである。
【００６６】
そして、注入口７３から横向きに注入された発泡性断熱材２０の原料は断熱空間１４の最下面に沿って横に広がり、流動しながら発泡を開始して樹脂化を伴いながら断熱空間１４内を上方へ立ち上がっていく。この時、発泡性断熱材２０は発泡初期から中期であるため、上部領域Ｕｐでは充分な量の気泡を有した発泡性断熱材２０を形成することができる。このように、貯湯タンク２の上部領域側における発泡性断熱材は、微細気泡が形成され、しかも気泡壁の強度が大きいものとなっている。
【００６７】
このように、本実施形態になる注入方式においても、外箱１５の貯湯タンク１の天面部付近の断熱性能が高くなっており、高温の湯が貯留される貯湯タンク１の上部領域側における熱漏洩が有効に抑制されるようになっている。また、発泡初期から中期の発泡性断熱材２０であるため、微細気泡の集合体となっており、上部領域Ｕｐでは発泡性断熱材２０の強度が高く、また気泡壁強度も強いことから、断熱性能の経時劣化を抑制することができるようになる。
【００６８】
一方、断熱空間１４内の各部分を流動した発泡性断熱材２０は、最終的に外箱１５の最上面付近の１箇所に集まってきて発泡、流動を終了する。そして、「最終充填部」からの熱漏洩を更に抑制してやるため、本実施形態では、充填された発泡性断熱材２０の「最終充填部」が形成される箇所に、真空断熱材１７を設置することにより、熱漏洩量の大幅な悪化に繋がらないようにしている。本実施形態では、注入口７３の上に位置する背面側に真空断熱材１７を配置している。
【００６９】
本実施形態においても実施例１と同様に、発泡性断熱材の「最終充填部」が貯湯タンクの低温の湯が分布する下部領域Ｂｏ側に形成されるようにしているので、貯湯タンクの上部領域側の発泡断熱材は微細気泡が形成され、しかも気泡壁強度が強くなっている。これによって、発泡性断熱材の断熱性能の経時安定性を確保することができる。また、熱伝達性が高い「最終充填部」が位置する外箱の内側に真空断熱材を配置しているで、この部分からの熱漏洩を少なくできる。
【実施例４】
【００７０】
次に、第４の実施形態になる貯湯タンクユニットＴＵは、図７に示しているような方法で液状の発泡性断熱材が注入されるものである。
【００７１】
さて、第４の実施形態になる貯湯タンクユニットにおいても、外箱１５を正規の設置状態とは逆向きに倒立させた状態とし、倒立させた状態の外箱１５の背面側の最下面に設置した発泡性断熱材２０の原料を注入する注入口７３Ａから最下面に沿って横方向に向けて液状の発泡性断熱材２０を注入する。また、倒立させた状態の外箱１５の前面側の最下面に設置した発泡性断熱材２０の原料を注入する注入口７３Ｂから最下面に沿って横方向に向けて液状の発泡性断熱材２０注入する。尚、注入口７３Ａと注入口７３Ｂとは互いに向き合って対称位置に配置されている。
【００７２】
ここでも実施例１と同様に、倒立させた状態の外箱１５の最上面は図２に示す下部領域Ｂｏに対応するものであり、立てた状態の外箱１５の最下面は図２に示す上部領域Ｕｐに対応するものである。
【００７３】
そして、対向する２つの注入口７２Ａ、７２Ｂから注入された発泡性断熱材２０の原料は断熱空間１４の最下面に沿って横に広がり、流動しながら発泡を開始して互いに向き合って樹脂化を伴いながら断熱空間１４内を上方へ立ち上がっていく。この時、発泡性断熱材２０は発泡初期から中期であるため、上部領域Ｕｐでは充分な量の気泡を有した発泡性断熱材２０を形成することができる。このように、貯湯タンク２の上部領域Ｕｐ側における発泡性断熱材は、微細気泡が形成され、しかも気泡壁の強度が大きいものとなっている。
【００７４】
このように、本実施形態になる注入方式においても、外箱１５の貯湯タンク１の天面部付近の断熱性能が高くなっており、高温の湯が貯留される貯湯タンク１の上部領域側における熱漏洩が有効に抑制されるようになっている。また、発泡初期から中期の発泡性断熱材２０であるため、微細気泡の集合体となっており、発泡性断熱材２０の強度が高く、また気泡壁強度も強いことから、断熱性能の経時劣化を抑制することができるようになる。
【００７５】
一方、断熱空間１４内の各部分を流動した各発泡性断熱材２０は、実施例２と同様に、その発泡進行面が合流することによって「合わせ目」が形成されている。更には最終的に外箱１５の最上面付近の１箇所に集まってきて発泡、流動を終了する。したがって、本実施形態例では「最終充填部」及び「合わせ目」が形成されることになる。この「最終充填部」や「合わせ目」からの熱漏洩を更に抑制してやるため、本実施形態では、充填された発泡性断熱材２０の「最終充填部」や「合わせ目」が形成される箇所に、真空断熱材１７を設置することにより、熱漏洩量の大幅な悪化に繋がらないようにしている。本実施形態では、外箱１５の側面の内側に真空断熱材１７を配置している。
【００７６】
本実施形態においても実施例２と同様に、発泡性断熱材の「最終充填部」が貯湯タンクの低温の湯が分布する下部領域側に形成されるようにしているので、貯湯タンクの上部領域側の発泡断熱材は微細気泡が形成され、しかも気泡壁強度が強くなっている。これによって、発泡性断熱材の断熱性能の経時安定性を確保することができる。また、熱伝達性が高い「最終充填部」が位置する外箱の内側に真空断熱材を配置しているで、この部分からの熱漏洩を少なくできる。
【実施例５】
【００７７】
次に、第５の実施形態になる貯湯タンクユニットＴＵは、図８に示しているような方法で液状の発泡性断熱材が注入されるものである。
【００７８】
さて、第５の実施形態になる貯湯タンクユニットにおいては、外箱１５を前面側が下になるように横倒しの状態とし、この状態の外箱１５の前面側の最下面に設置した発泡性断熱材２０の原料を注入する注入口７４から最下面に沿って横方向に向けて液状の発泡性断熱材２０注入するものである。この場合、図面で右側が外箱１５の下部領域Ｂｏに対応するものであり、左側が外箱１５の上部領域Ｕｐに対応するものである。
【００７９】
つまり、外箱１５の下部領域Ｂｏに対応する側に注入口７４を設け、外箱１５の上部領域Ｕｐに向けて液状の発泡性断熱材２０を注入するものである。注入口７４に差し込まれる注入ノズルは、発泡性断熱材２０が外箱１５の上部領域Ｕｐに多く到達するように注入速度を高めるか、或いは注入ノズルの長さを長くして、より多くの発泡性断熱材２０が外箱１５の上部領域Ｕｐに届くようにしている。
【００８０】
更には、フロース発泡のように、低沸点の発泡剤を混合した発泡性断熱材２０を、注入ノズルから吐出された時に気化して、液体からフォーム状となるように吐出することで、発泡性断熱材２０が外箱１５の上部領域Ｕｐに多く到達するようにしても良い。
【００８１】
そして、注入口７３から横向きに注入された発泡性断熱材２０の原料は断熱空間１４の最下面に沿って広がり、流動しながら発泡を開始して樹脂化を伴いながら断熱空間１４内を上方へ立ち上がっていく。この時、発泡性断熱材２０は発泡初期から中期であるため、上部領域Ｕｐでは充分な量の気泡を有した発泡性断熱材２０を形成することができる。このように、貯湯タンク２の上部領域Ｕｐ側における発泡性断熱材は、微細気泡が形成され、しかも気泡壁の強度が大きいものとなっている。
【００８２】
このように、本実施形態になる注入方式においても、外箱１５の貯湯タンク１の天面部付近の断熱性能が高くなっており、高温の湯が貯留される貯湯タンク１の上部領域側における熱漏洩が有効に抑制されるようになっている。また、発泡初期から中期の発泡性断熱材２０であるため、微細気泡の集合体となっており、発泡性断熱材２０の強度が高く、また気泡壁強度も強いことから、断熱性能の経時劣化を抑制することができるようになる。
【００８３】
一方、断熱空間１４内の各部分を流動した発泡性断熱材２０は、最終的に外箱１５の下部領域Ｂｏ側の背面付近の１箇所に集まってきて発泡、流動を終了する。そして、「最終充填部」からの熱漏洩を更に抑制してやるため、本実施形態では、充填された発泡性断熱材２０の「最終充填部」が形成される箇所に、真空断熱材１７を設置することにより、熱漏洩量の大幅な悪化に繋がらないようにしている。本実施形態では、注入口７４の上に位置する背面側に真空断熱材１７を配置している。
【００８４】
本実施形態においても実施例１と同様に、発泡性断熱材の「最終充填部」が貯湯タンクの低温の湯が分布する下部領域側に形成されるようにしているので、貯湯タンクの上部領域側の発泡断熱材は微細気泡が形成され、しかも気泡壁強度が強くなっている。これによって、発泡性断熱材の断熱性能の経時安定性を確保することができる。また、熱伝達性が高い「最終充填部」が位置する外箱の内側に真空断熱材を配置しているで、この部分からの熱漏洩を少なくできる。
【実施例６】
【００８５】
次に、第６の実施形態になる貯湯タンクユニットＴＵは、図９に示しているような方法で液状の発泡性断熱材が注入されるものである。
【００８６】
さて、第６の実施形態になる貯湯タンクユニットにおいても、外箱１５を前面側が下になるように横倒しの状態とし、この状態の外箱１５の背面側の上部領域Ｕｐに設置した注入口７５Ａと、外箱１５の背面側の下部領域Ｂｏに設置した注入口７５Ｂから下側に向けて液状の発泡性断熱材２０を注入するものである。ここで、上部領域Ｕｐに設置した注入口７５Ａから注入される発泡性断熱材２０の量の方が、下部領域Ｂｏに設置した注入口７５Ｂから注入される発泡性断熱材２０の量より多いものである。
【００８７】
そして、２つの注入口７５Ａ、７５Ｂから注入された発泡性断熱材２０の原料は断熱空間１４の最下面に落下して横に広がり、流動しながら発泡を開始して互いに向き合って樹脂化を伴いながら断熱空間１４内を上方へ立ち上がっていく。この時、注入口７５Ａからの発泡性断熱材２０の量が多いため、上部領域Ｕｐに充分な量の気泡を有した発泡性断熱材２０を形成することができる。このように、貯湯タンク２の上部領域側における発泡性断熱材は、微細気泡が形成され、しかも気泡壁の強度が大きいものとなっている。
【００８８】
このように、本実施形態になる注入方式においても、外箱１５の貯湯タンク１の天面部付近の断熱性能が高くなっており、高温の湯が貯留される貯湯タンク１の上部領域側における熱漏洩が有効に抑制されるようになっている。また、発泡初期から中期の発泡性断熱材２０であるため、微細気泡の集合体となっており、発泡性断熱材２０の強度が高く、また気泡壁強度も強いことから、断熱性能の経時劣化を抑制することができるようになる。
【００８９】
一方、断熱空間１４内の各部分を流動した発泡性断熱材２０は、上部領域Ｕｐに設置した注入口７５Ａから注入される発泡性断熱材２０の量の方が、下部領域Ｂｏに設置した注入口７５Ｂから注入される発泡性断熱材２０の量より多いことから、最終的に外箱１５の下部領域Ｂｏ側の背面付近の１箇所に集まってきて発泡、流動を終了する。尚、この場合では注入口７５Ａ、７５Ｂから発泡性断熱材２０が注入されるため「合わせ目」が生じるようになる。
【００９０】
そして、「最終充填部」や「合わせ目」からの熱漏洩を更に抑制してやるため、本実施形態では、充填された発泡性断熱材２０の「最終充填部」や「合わせ目」が形成される箇所に、真空断熱材１７を設置することにより、熱漏洩量の大幅な悪化に繋がらないようにしている。本実施形態では、注入口７５Ｂが位置する背面側と側面側に真空断熱材１７を配置している。尚、側面側の真空断熱材１７は省略している。
【００９１】
本実施形態においても実施例１と同様に、発泡性断熱材の「最終充填部」が貯湯タンクの低温の湯が分布する下部領域側に形成されるようにしているので、貯湯タンクの上部領域側の発泡断熱材は微細気泡が形成され、しかも気泡壁強度が強くなっている。これによって、発泡性断熱材の断熱性能の経時安定性を確保することができる。また、熱伝達性が高い「最終充填部」が位置する外箱の内側に真空断熱材を配置しているで、この部分からの熱漏洩を少なくできる。
【実施例７】
【００９２】
次に、第７の実施形態になる貯湯タンクユニットＴＵは、図１０に示しているような方法で液状の発泡性断熱材が注入されるものである。
【００９３】
さて、第７の実施形態になる貯湯タンクユニットにおいても、外箱１５を前面側が下になるように横倒しの状態とし、この状態の外箱１５の背面側の上部領域Ｕｐ側に寄せて設置した注入口７６から下側に向けて液状の発泡性断熱材２０を注入するものである。ここで、上部領域Ｕｐ側に寄せた注入口７６から注入される発泡性断熱材２０は、上部領域Ｕｐ側に多く流れ、下部領域Ｂｏ側には少なく流れるものである。したがって、注入口７６は図９に示す注入口７５Ａの位置であっても差し支えないものである。
【００９４】
そして、注入口７６から注入された発泡性断熱材２０の原料は断熱空間１４の最下面に落下して横に広がり、流動しながら発泡を開始して互いに向き合って樹脂化を伴いながら断熱空間１４内を上方へ立ち上がっていく。この時、注入口７６からの発泡性断熱材２０は上部領域Ｕｐ側に多く流れるため、上部領域Ｕｐに充分な量の気泡を有した発泡性断熱材２０を形成することができる。このように、貯湯タンク２の上部領域Ｕｐ側における発泡性断熱材は、微細気泡が形成され、しかも気泡壁の強度が大きいものとなっている。
【００９５】
このように、本実施形態になる注入方式においても、外箱１５の貯湯タンク１の天面部付近の断熱性能が高くなっており、高温の湯が貯留される貯湯タンク１の上部領域側における熱漏洩が有効に抑制されるようになっている。また、発泡初期から中期の発泡性断熱材２０であるため、微細気泡の集合体となっており、発泡性断熱材２０の強度が高く、また気泡壁強度も強いことから、断熱性能の経時劣化を抑制することができるようになる。
【００９６】
一方、断熱空間１４内の各部分を流動した発泡性断熱材２０は、上部領域Ｕｐ側の発泡性断熱材２０の量の方が、下部領域Ｂｏの発泡性断熱材２０の量より多いことから、最終的に外箱１５の下部領域Ｂｏ側の背面付近の１箇所に集まってきて発泡、流動を終了する。そして、「最終充填部」からの熱漏洩を更に抑制してやるため、本実施形態では、充填された発泡性断熱材２０の「最終充填部」が形成される箇所に、真空断熱材１７を設置することにより、熱漏洩量の大幅な悪化に繋がらないようにしている。本実施形態では、背面側の下部領域Ｂｏに真空断熱材１７を配置している。
【００９７】
本実施形態においても実施例１と同様に、発泡性断熱材の「最終充填部」が貯湯タンクの低温の湯が分布する下部領域側に形成されるようにしているので、貯湯タンクの上部領域側の発泡断熱材は微細気泡が形成され、しかも気泡壁強度が強くなっている。これによって、発泡性断熱材の断熱性能の経時安定性を確保することができる。また、熱伝達性が高い「最終充填部」が位置する外箱の内側に真空断熱材を配置しているで、この部分からの熱漏洩を少なくできる。
【実施例８】
【００９８】
次に、第８の実施形態になる貯湯タンクユニットＴＵは、図１１に示しているような方法で液状の発泡性断熱材が注入されるものである。
【００９９】
さて、第８の実施形態になる貯湯タンクユニットにおいては、外箱１５を前面側が下になり、しかも上部領域Ｕｐが下になるように斜めに傾けた状態とし、この状態の外箱１５の背面側の下部領域Ｂｏ側に寄せて設置した注入口７７から下側に向けて液状の発泡性断熱材２０を注入するものである。ここで、注入口７７から注入される発泡性断熱材２０は、前面側に落下した後に上部領域Ｕｐ側に重力で流れるものである。
【０１００】
そして、注入口７６から注入された発泡性断熱材２０の原料は、上部領域Ｕｐの空間に流れ込み、発泡を開始して樹脂化を伴いながら断熱空間１４内を斜め上方へ立ち上がっていく。この時、注入口７７からの発泡性断熱材２０は上部領域Ｕｐ側に重力によって多く流れるため、上部領域Ｕｐに充分な量の気泡を有した発泡性断熱材２０を形成することができる。このように、貯湯タンク２の上部領域Ｕｐ側における発泡性断熱材は、微細気泡が形成され、しかも気泡壁の強度が大きいものとなっている。
【０１０１】
このように、本実施形態になる注入方式においても、外箱１５の貯湯タンク１の天面部付近の断熱性能が高くなっており、高温の湯が貯留される貯湯タンク１の上部領域側における熱漏洩が有効に抑制されるようになっている。また、発泡初期から中期の発泡性断熱材２０であるため、微細気泡の集合体となっており、発泡性断熱材２０の強度が高く、また気泡壁強度も強いことから、断熱性能の経時劣化を抑制することができるようになる。
【０１０２】
一方、断熱空間１４内の各部分を流動した発泡性断熱材２０は、最終的に外箱１５の下部領域Ｂｏ付近の１箇所に集まってきて発泡、流動を終了する。そして、「最終充填部」からの熱漏洩を更に抑制してやるため、本実施形態では、充填された発泡性断熱材２０の「最終充填部」が形成される箇所に、真空断熱材１７を設置することにより、熱漏洩量の大幅な悪化に繋がらないようにしている。本実施形態では、背面側の下部領域Ｂｏに真空断熱材１７を配置している。
【０１０３】
本実施形態においても実施例１と同様に、発泡性断熱材の「最終充填部」が貯湯タンクの低温の湯が分布する下部領域側に形成されるようにしているので、貯湯タンクの上部領域側の発泡断熱材は微細気泡が形成され、しかも気泡壁強度が強くなっている。これによって、発泡性断熱材の断熱性能の経時安定性を確保することができる。また、熱伝達性が高い「最終充填部」が位置する外箱の内側に真空断熱材を配置しているで、この部分からの熱漏洩を少なくできる。
【実施例９】
【０１０４】
次に、第９の実施形態になる貯湯タンクユニットＴＵは、図１２に示しているような方法で液状の発泡性断熱材が注入されるものである。
【０１０５】
さて、第９の実施形態になる貯湯タンクユニットにおいても、基本的には実施例８と同様のものであり、外箱１５を前面側が下になり、しかも上部領域Ｕｐが下になるように斜めに傾けた状態とし、この状態の外箱１５の前面側の下部領域Ｂｏ側に寄せて設置した注入口７７から斜め下側に向けて液状の発泡性断熱材２０を注入するものである。この方法によっても実施例８と同様の作用、効果を奏するものである。
【実施例１０】
【０１０６】
次に、発泡断熱材として硬質ウレタンフォームを形成する場合、硬質ウレタンフォームは、プレミックスポリオール組成物とポリイソシアネートとを反応させることによって得ることができる。そして、このプレミックスポリオール組成物の組成についても温度負荷に対する経時劣化を抑制する材料について検討した。
【０１０７】
実施例１〜９及び比較例として図１３に示す組成のプレミックスポリオール組成物を調製して用いた。プレミックスポリオール組成物は、活性水素含有化合物と、整泡剤と、触媒と、水と、シクロペンタンとを含むものとし、活性水素含有化合物としては、アルキレンオキシドを付加したスクロース、アルキレンオキシドを付加したトルエンジアミン、アルキレンオキシドを付加したペンタエリスリトール、重量平均分子量が２００以下のジオール、エステル基を有する多価アルコール（＝ポリエステルポリオール成分）をそれぞれ使用した。なお、図１３において、「○」は当該化合物を含んでいることを示し、「−」は当該化合物を含んでいないことを示している。
【０１０８】
触媒としては、泡化触媒、樹脂化触媒、ヌレート触媒のそれぞれを使用した。使用した整泡剤は、変性ポリシロキサンである。これらの種類、配合量については実施例１〜９及び比較例について、いずれも同一条件とした。
【０１０９】
図１３に示す各実施例に対する外箱への発泡断熱材の注入方法は、いずれも上述した実施形態１〜実施形態９に対応させている。例えば、実施例１の外箱は、第１実施形態に対応している。また、比較例については、最終充填部が高温の湯が貯留される貯湯タンク１の上部領域Ｕｐ側に該当するように注入位置を調整して実施した。
【０１１０】
これら原料液の注入及び発泡においては、高圧発泡機（プロマート社製、型式：ＰＵ−３０）を使用し、液温１８〜３０℃、吐出圧力８０〜１５０ｋｇ／ｃｍ２、吐出量１５〜３０ｋｇ／ｍｉｎ、温度を約４０℃として発泡を行った。
【０１１１】
そして、断熱空間に発泡性断熱材として硬質ウレタンフォームを充填した貯湯タンクユニットを製造し、高温の湯が貯留される貯湯タンク１の上部領域Ｕｐ側における９０℃の湯を２４時間放置した際の湯温の測定と、貯湯タンク１の上部領域Ｕｐ側から採取した硬質ウレタンフォームの断熱性能の経時安定性に与える影響を評価した。
【０１１２】
次に、貯湯タンクの天面部より上側の領域、及び、貯湯タンクの側方の空間厚さが８ｍｍ以下の領域からそれぞれ採取した試験片について熱伝導率を測定した。試験片の熱伝導率は、試験片の採取直後、試験片を１００℃で３０日間促進劣化させた後、及び、試験片を１００℃で１００日間促進劣化させた後のそれぞれについて測定した。尚、熱伝導率の測定には、英弘精機社製熱伝導率測定装置ＨＣ−０７４を用いた。その結果を図１３に示している。
【０１１３】
図１３に示すように、実施例１〜９では、比較例に対して、湯温の低下が軽減されることが確認された。また、実施例１〜９では、１００日後にも、比較例に対して低い熱伝導率が維持されていることから、断熱性能の経時劣化が軽減されていることが確認でき、熱漏洩量が低減されていることがわかる。
【０１１４】
更に、比較例からもわかるように、高温の湯が貯留される側には「最終充填部」を形成せず、且つプレミックスポリオール組成物として、ポリエステルポリオール成分を併用するのが好適である。したがって、実施形態１〜実施形態９の注入方法を使用して、更にプレミックスポリオール組成物にポリエステルポリオールを加えると断熱性能の経時劣化が軽減されるようになる。
【０１１５】
尚、上記した実施形態では発泡断熱材の注入口は１個、或いは２個の例を示したが、これに限らず２個以上であっても良いものである。要は１個以上の注入口を備えていれば良いものである。
【０１１６】
以上述べた通り、本発明においては、少なくとも発泡性断熱材の発泡最終領域である「最終充填部」が、貯湯タンクの低温の湯が分布する下部領域側に形成されている構成とした。更にこれに加えて、少なくとも、この「最終充填部」が対向する外箱の内側面に真空断熱材が設置される構成とした。
【０１１７】
これによれば、発泡性断熱材の「最終充填部」が貯湯タンクの低温の湯が分布する下部領域側に形成されるようにしているので、貯湯タンクの上部領域側の発泡断熱材は微細気泡が形成され、しかも気泡壁強度が強くなっている。これによって、発泡性断熱材の断熱性能の経時安定性を確保することができる。また、熱伝達性が高い「最終充填部」が位置する外箱の内側に真空断熱材を配置しているで、この部分からの熱漏洩を少なくできる。
【０１１８】
尚、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【０１１９】
１…貯湯タンク、２…外装板、３…外装板、８…天板補助板、１０…底板、１１…内脚、１２…外脚、１５…外箱、１７…真空断熱材、２０…発泡性断熱材、７２、７２Ａ、７２Ｂ…注入口、７３、７３Ａ、７３Ｂ…注入口、７４…注入口、７５Ａ、７５Ｂ…注入口、７６…注入口、７７…注入口、７８…注入口。
【図１Ａ】
0006607743.tif 000002
【図１Ｂ】
0006607743.tif 000003
【図１Ｃ】
0006607743.tif 000004
【図２】
0006607743.tif 000005
【図３】
0006607743.tif 000006
【図４】
0006607743.tif 000007
【図５】
0006607743.tif 000008
【図６】
0006607743.tif 000009
【図７】
0006607743.tif 000010
【図８】
0006607743.tif 000011
【図９】
0006607743.tif 000012
【図１０】
0006607743.tif 000013
【図１１】
0006607743.tif 000014
【図１２】
0006607743.tif 000015
【図１３】
0006607743.tif 000016